(57)【要約】  【課題】  プレス成形によるセメント系成形体の製造において、プレス成形型に設けられ圧縮空気を吹き出す通気孔の詰まりを防止し、セメント成形体の型離れを良好にする。  【解決手段】  セメント系材料を押出成形したあとプレス成形してセメント系成形体を得る方法であって、セメント系材料を押出成形して、可塑状態の押出成形体１０を得る工程（ａ）と、そのあと、押出成形体１０の表面に無機粉粒１６を散布する工程（ｂ）と、そのあと、下面に凹凸のある型面を有する樹脂型３４を備えたプレス成形型３０を押出成形体１０の上方から押圧して、押出成形体１０の表面にプレス成形型３０の樹脂型３４に有する凹凸型面に対応する凹凸形状をプレス成形し、表面に凹凸形状を有するセメント系成形体を得る工程（ｃ）と、そのあと、プレス成形型の型面に備えた噴出口３５からセメント系成形体に向かって圧力空気を噴出させながら、プレス成形型３０をセメント系成形体から離す工程（ｄ）とを含む。【選択図】  図２
2006305776.tif 000002
【特許請求の範囲】
【請求項１】
セメント系材料を押出成形したあとプレス成形してセメント系成形体を得る方法であって、
前記セメント系材料を押出成形して、可塑状態の押出成形体を得る工程（ａ）と、
前工程（ａ）のあと、前記押出成形体の表面に無機粉粒を散布する工程（ｂ）と、
前工程（ｂ）のあと、下面に凹凸のある型面を備えたプレス成形型を前記押出成形体の上方から押圧して、押出成形体の表面にプレス成形型の凹凸型面に対応する凹凸形状をプレス成形し、表面に凹凸形状を有するセメント系成形体を得る工程（ｃ）と、
前工程（ｃ）のあと、前記プレス成形型の型面に備えた噴出口から前記セメント系成形体に向かって圧力空気を噴出させながら、プレス成形型をセメント系成形体から離す工程（ｄ）と
を含むセメント系成形体の製造方法。
【請求項２】
前記工程（ａ）において、セメント系材料として、セメント、水、油性物質および乳化剤を含むＷ／Ｏエマルジョンならびに補強材を含むセメント系材料を用い、
前記工程（ｂ）において、前記無機粉粒として、珪砂、スラグ粉砕物、ガラス粉砕物、陶磁器粉砕物、砂鉄からなる群から選ばれ、平均粒径５００〜７００μｍの無機粉粒を、３０〜６０ｇ／ｍ２の量で散布し、
前記工程（ｃ）において、前記プレス成形型を押圧するプレス圧が、０．５〜１．０ＭＰａであり、
前記工程（ｄ）において、前記プレス成形型の噴出口が、口径０．２〜０．８ｍｍであり、圧力１００〜４００ｋＰａの圧力空気を噴出させる
請求項１に記載のセメント系成形体の製造方法。
【発明の詳細な説明】
【技術分野】
【０００１】
本発明は、セメント系成形体の製造方法に関し、詳しくは、セメント系材料を成形し養生硬化させて、建築物の外装材などに利用されるセメント系硬化材を製造する技術において、養生硬化させる前のセメント系成形体を製造する方法を対象にしている。
【背景技術】
【０００２】
建築用の外装材として、セメント系硬化材を利用することは良く知られている。機械的強度や耐久性に優れたものとされている。
セメント系硬化材からなる外装材の外観意匠性を高めるために、表面に凹凸模様やパターン形状を形成することが行われる。
セメント系硬化材の表面に凹凸形状を形成する方法として、セメント系材料を押出成形して平坦な板状の押出成形体を製造した後、押出成形体の表面にプレス成形によって凹凸形状を成形する方法が知られている。
特許文献１には、セメント含有Ｗ／Ｏ型エマルジョンからなるセメント系材料を板状に押出成形したあと、プレス成形して、凹凸形状を有するセメント系成形体を製造し、このセメント系成形体を養生硬化させる技術が示されている。プレス成形の金型に設けた通気孔から圧縮空気を吹き出して、セメント系成形体から金型を脱型し易くしている。
【特許文献１】特開平５−２４６７４７号公報
【発明の開示】
【発明が解決しようとする課題】
【０００３】
ところが、特許文献１の技術のように、プレス成形型の通気孔から圧縮空気を吹き出して、セメント系成形体のプレス成形型に対する型離れを良くしようとすると、プレス成形型の通気孔にセメント系材料が入り込んで通気孔が詰まってしまうという問題が生じる。通気孔が詰まってしまえば、圧縮空気の吹き出しによる型離れの促進作用は全く発揮できなくなる。
特許文献１の技術では、通気孔に逆流防止弁を設けて、セメント系材料が通気孔に入り込むのを防止している。そのため、通気孔の構造が複雑になる。逆流防止弁を装着できる通気孔は、かなり大きなものとなり、セメント系成形体の表面に通気孔の跡が残ると目立ってしまい、セメント系成形体およびセメント系硬化体の表面品質が損なわれる。しかも、逆流防止弁と通気孔との隙間からセメント系材料が浸入したり、浸入したセメント系材料が固まってしまい、逆流防止弁が十分に作動できなくなったりすることもある。
【０００４】
本発明の課題は、前記した従来技術のように、プレス成形によるセメント系成形体の製造において、プレス成形型の通気孔から圧縮空気を吹き出す技術の問題点を解消して、セメント成形体の型離れを良好にすることである。
【課題を解決するための手段】
【０００５】
本発明にかかるセメント系成形体の製造方法は、セメント系材料を押出成形したあとプレス成形してセメント系成形体を得る方法であって、前記セメント系材料を押出成形して、可塑状態の押出成形体を得る工程（ａ）と、前工程（ａ）のあと、前記押出成形体の表面に無機粉粒を散布する工程（ｂ）と、前工程（ｂ）のあと、下面に凹凸のある型面を備えたプレス成形型を前記押出成形体の上方から押圧して、押出成形体の表面にプレス成形型の凹凸型面に対応する凹凸形状をプレス成形し、表面に凹凸形状を有するセメント系成形体を得る工程（ｃ）と、前工程（ｃ）のあと、前記プレス成形型の型面に備えた噴出口から前記セメント系成形体に向かって圧力空気を噴出させながら、プレス成形型をセメント系成形体から離す工程（ｄ）とを含む。
【０００６】
〔セメント系材料〕
セメント系成形体の主材料となるセメント系材料は、通常のセメント系硬化製品と同様の材料や配合、製造技術が適用できる。
油性物質と水とのＷ／Ｏエマルジョンおよびセメントを含むものが好ましい。油性物質として重合性の油性物質が好ましい。
具体的には、例えば、前記特許文献１（特開平５−２４６７４７号公報）や特開２００２−４７０４０号公報に記載の技術が適用できる。
＜セメント＞
セメント系硬化体の基本的な機械的強度などの特性を決める材料である。通常のセメント材料が使用できる。例えば、ポルトランドセメント、フライアッシュセメント、高炉セメント、アルミナセメントなどが挙げられる。複数種類のセメントを併用することもできる。
【０００７】
セメント系材料中（水を含めたセメント系材料の全量中）に、１０〜４０体積％を配合しておくことができる。好ましくは、１５〜３０体積％である。
＜重合性の油性物質＞
水とＷ／Ｏエマルジョンを形成できる油性物質の中で、重合性の物質が使用される。重合性の油性物質は、養生硬化工程において重合反応により重合し、水和硬化するセメントとともにセメント系硬化体の骨格構造を構築する。セメント系硬化体の骨格構造が良好に構築されることで、養生硬化に伴う寸法収縮が起こり難くなる。
油性物質としては、疎水性の液状物質が、水とＷ／Ｏエマルジョンを形成し易い。
【０００８】
重合性の油性物質の具体例として、スチレン、ジビニルベンゼン、メチルメタクリレート、トリメチロールプロパントリメタクリレート、不飽和ポリエステル樹脂等の重合性二重結合を有するもの（ビニル単量体）が有用である。重合性二重結合を有する油性物質の重合反応とセメントの水和反応とが同時に良好に進行して、前記したセメント系硬化体の骨格構造が良好に形成される。
油性物質の重合体が、前記セメントとともに、セメント系硬化体の骨格構造を構築し、基本的な特性を決めることになる。セメント系硬化体の物理的特性や表面性状などを改善する機能を果たす。セメント系硬化体の用途や要求性能、使用する油性物質の種類によっても異なるが、通常、セメント系材料中に、４〜１０体積％を配合しておくことができる。好ましくは、５〜７体積％である。
【０００９】
重合性の油性物質の重合反応を促進させるために、重合性の油性物質とともに、有機過酸化物や過硫酸塩等からなる重合開始剤を併用することができる。
＜Ｗ／Ｏエマルジョン＞
Ｗ／Ｏエマルジョンは、油中水滴型エマルジョンとも呼ばれ、油性物質の連続相に微細な水粒子が分散している状態である。
このようなＷ／Ｏエマルジョンが構成されるように、水および重合性の油性物質を配合し、撹拌混合することで、目的のＷ／Ｏエマルジョンが得られる。
油性物質として、前記した重合性の油性物質以外の油性物質を配合しておくことができる。水に加えて、他の液体あるいは固体粒子を配合しておくこともできる。セメントは、微細な固体粒子として、Ｗ／Ｏエマルジョン中に分散させておくことができる。
【００１０】
Ｗ／Ｏエマルジョンを調製したあと、セメントなどの他の材料を混合することもできるし、水および油性物質に加えて他の材料も混合した状態で、エマルジョン化処理を行うこともできる。
＜乳化剤＞
Ｗ／Ｏエマルジョンの形成を促進させるために、乳化剤を配合しておくことが有効である。
乳化剤としては、通常のエマルジョン技術において使用されている乳化剤が使用できる。油性物質と水とのＷ／Ｏエマルジョン形成に有効で、セメント系材料の成形や養生硬化に悪影響を与え難く、セメント系硬化体の品質性能を損なわない材料が好ましい。
【００１１】
乳化剤の具体例として、ソルビタンセスキオレート、グリセロールモノステアレート、ソルビタンモノオレート、ジエチレングリコールモノステアレート、ソルビタンモノステアレート、ジグリセロールモノオレート等の非イオン性界面活性剤、各種アニオン系界面活性剤、カチオン系界面活性剤等が挙げられる。
乳化剤の使用量は、油性物質と水との配合割合や要求性能によっても異なるが、通常、セメント系材料における水と固形分との総量に対して１〜３体積％の範囲に設定できる。
＜補強材＞
セメント系硬化体の機械的強度などの物理的特性を向上させるのに有用である。
【００１２】
通常のセメント系硬化体の製造に利用されている各種の補強材が使用できる。具体的には、いわゆるセメント用の骨材として知られている材料がある。補強繊維として知られている材料がある。補強繊維として、ポリプロピレン繊維、アクリル繊維、ビニロン繊維、アラミド繊維等の合成繊維や、炭素繊維、ガラス繊維、パルプなどがある。砂利、パーライト、シラスバルーン、ガラス粉、アルミナシリケートなどの無機粒子も使用される。多孔質状あるいは中空状の無機粒子もある。
これらの補強材は、セメント系材料の全量に対して０．５〜１０体積％程度で配合できる。
【００１３】
＜その他の材料＞
通常のセメント系硬化材の製造に利用される添加材料を組み合わせることができる。例えば、着色剤などが挙げられる。
＜セメント系材料の調製＞
基本的には、以上に説明したセメント系材料を構成する各材料を均一に撹拌混合すればよい。各材料を同時に撹拌混合してもよいし、一部の材料を撹拌混合した後、残りの材料を加えてさらに撹拌混合することもできる。
水と油性物質とのＷ／Ｏエマルジョンが良好に形成されるように、製造装置、製造条件を設定することが望ましい。
【００１４】
攪拌装置として、ディゾルバー、スクリューラインミキサー、超音波ホモジナイザー、コロイドミル、プラネタリーミキサー、スタティックミキサー、ナウターミキサー、リボンブレンダー、タンブルミキサー、パドル式ミキサー等が使用できる。
Ｗ／Ｏエマルジョンにセメントや補強材が配合されたりして粘性が増大した材料は、混練装置で混練することが有効である。連続混練装置として、連続ニーダー、二軸押出機等が使用できる。
〔押出成形〕
通常のセメント系材料に対する押出成形技術が適用される。
【００１５】
押出成形装置に供給されたセメント系材料を押出ダイから押し出すことで、押出ダイのダイ形状に対応する押出成形体が得られる。セメント系材料の押出成形を断続的に行ったり、連続的に押出成形して得られた連続押出成形体を所定寸法毎に裁断したりすることで、所定の寸法形状の押出成形体が得られる。
押出成形体の形状は、例えば、矩形状の押出ダイで押出成形される矩形厚板状のものが一般的である。押出ダイの細部形状を変えることで、矩形厚板に長さ方向の凹溝や凸条を有するものなども形成できる。
押出成形体は、可塑状態であり、容易に変形することができる。
【００１６】
〔無機粉粒の散布〕
無機粉粒としては、プレス成形型の噴出口の目詰まり防止に有効であり、製造されるセメント系成形体あるいはセメント系硬化体の品質性能に悪影響を与えない材料が使用される。
具体的には、無機粉粒として、珪砂、スラグ粉砕物、ガラス粉砕物、陶磁器粉砕物、砂鉄などが挙げられる。無機粉粒の平均粒径を、５００〜７００μｍに設定することができる。無機粉粒の粒径が小さ過ぎると、プレス成形時にセメント系材料の内部に完全に埋もれてしまい、噴出口の目詰まり防止が果たせない。噴出口の内部に浸入して付着したままになる。粒径が大き過ぎると、セメント系成形体の表面で、無機粉粒が目立ち過ぎて表面質感を損なったり、表面が粗くなってしまったりする。
【００１７】
無機粉粒の散布は、手作業で行うこともできるし、空気とともにノズルなどから噴き出して散布することもできる。散布の時期は、押出成形の直後であってもよいし、押出成形体を少し乾燥させた状態であってもよい。
無機粉粒の散布量は、無機粉粒が押出成形体の表面を、実質的に隙間なく一様に覆うことができる程度に設定すればよい。具体的には、散布量３０〜６０ｇ／ｍ２に設定できる。散布量が少なすぎると目的の作用が達成できず、散布量が多過ぎると、セメント系成形体の表面性状が悪くなったり、プレス成形時にセメント系成形体に付着せずに脱落した無機粉粒が、噴出口に浸入したり、プレス成形型を汚したりする問題が生じる。
【００１８】
〔プレス成形〕
無機粉粒が散布された押出成形体を用いる以外は、基本的に通常のセメント系成形体の製造におけるプレス成形技術が適用できる。
プレス成形装置は、通常、一対の成形型と、成形型にプレス圧力を加えるプレス機構とを備えている。一対の成形型のうち、一方の成形型は固定されており、他方の成形型は可動になっている。通常、可動成形型の型面に、セメント系成形体にプレス成形すべき凹凸形状に対応する凹凸形状が設けられる。したがって、可動成形型をプレス成形型と呼び、固定成形型を単に、押出成形体の支持盤あるいは支持台と呼ぶことがある。勿論、必要に応じて、固定成形型の型面にもプレス成形用の凹凸形状が設けられる場合がある。一般的なプレス成形装置では、固定成形型と可動成形型とを上下に配置する。
【００１９】
上方の可動成形型、すなわち、下面に凹凸のある型面を備えたプレス成形型を押出成形体の上方から押圧して、押出成形体の表面にプレス成形型の凹凸型面に対応する凹凸形状をプレス成形し、表面に凹凸形状を有するセメント系成形体を得る。
プレス成形型を押圧するプレス圧は、押出成形体の材料配合や最終的に製造されるセメント系硬化体の要求性能などによっても異なるが、通常、プレス圧０．５〜１．０ＭＰａの範囲に設定できる。プレス圧が低過ぎると十分なプレス成形が行えない。プレス圧が高過ぎると、無機粉粒がセメント系材料の中に完全に埋もれてしまい、噴出口の詰まり防止機能が果たせなくなる。
【００２０】
プレス成形型の型面には、セメント系成形体の型離れを良好にする噴出口を備えている。噴出口は、型面全体に均等に配置することもできるし、セメント系成形体の型離れに有効な個所に重点的に配置することもできる。
噴出口の大きさは、圧力空気を十分に噴出できるとともに、セメント系成形体に噴出口の跡が残って目立たない程度に設定することができる。具体的には、噴出口の口径０．２〜０．８ｍｍに設定できる。
噴出口から噴出される圧力空気の圧力は、目的とするセメント系成形体の型離れが良好に行えるように設定する。具体的には、圧力１００〜４００ｋＰａに設定できる。圧力が低過ぎると目的の達成が困難であり、圧力が強過ぎると、セメント系成形体の表面を変形させたり損傷させたりする問題が起こる。
【００２１】
噴出口から圧力空気を噴出させる時期は、プレス成形型を成形されたセメント系成形体から離す型開き段階である。型開きの開始と同時に圧力空気を噴出させてもよいし、型開きの直前から圧力空気の噴出を開始したり、型開きの開始から少し遅らせて圧力空気の噴出を始めることもできる。圧力空気の噴出が必要とされるのは、型開きの初期段階であり、セメント系成形体の表面がプレス成形型の型面から離れてしまえば、圧力空気の噴出は不要である。
プレス成形を終えて得られたセメント系成形体は、表面に成形型の型面形状に対応する凹凸形状が形成されている。
【００２２】
〔セメント系成形体の養生硬化〕
セメント系成形体を養生硬化させることで、セメント系硬化体が得られる。
基本的には、通常のセメント系硬化体の製造技術における養生硬化装置、養生硬化条件が適用される。例えば、蒸気養生、オートクレーブ養生などが採用される。
養生条件は、セメント系材料の配合やセメント系硬化体に要求される性能などによっても異なるが、通常、４０〜１００℃で２０〜４８時間の範囲に設定される。養生工程の途中で、温度を段階的あるいは連続的に変えることもできる。
〔セメント系硬化体〕
セメント系成形体の養生硬化が終了すれば、セメント系硬化体が得られる。
【００２３】
セメント系硬化体は、セメント系成形体と同様に、表面に凹凸形状を有しており、建築用の外装板などとして利用される。
セメント系成形体の表面に散布された無機粉粒は、プレス成形の段階で押出成形体に埋め込まれるので、セメント系硬化体の表面には、実質的に無機粉粒が目立って突出するようなことはない。セメント系硬化体の表面を擦っても、無機粉粒が脱落することはない。
【発明の効果】
【００２４】
本発明にかかるセメント系成形体の製造方法は、セメント系材料を押出成形した押出成形体の表面にプレス成形型を押圧して凹凸形状を形成したあと、プレス成形型の噴出口から圧力空気を噴出させながらセメント系成形体から離す方法において、押出成形体の表面に、無機粉粒を散布しておく。その結果、プレス成形型の噴出口がセメント系材料で詰まることがなくなる。噴出口からの圧力空気の噴出が十分に行え、セメント系成形体からのプレス成形型の型離れが良好になる。セメント系成形体からのプレス成形型の型離れが良好に行えないことで、セメント系成形体の表面が部分的に剥がれたり凹凸形状が歪んだりする問題が解消できる。
【発明を実施するための最良の形態】
【００２５】
図１〜図４は、図５に示すセメント系外装板Ｐを製造するためのセメント系成形体Ｍの製造工程を段階的に示している。
〔押出成形〕
図１に示すように、支持台２２の上に置かれた、厚さ０．２２ｍｍの薄い鋼板からなる敷板２４の上に、押出成形装置２０の押出ダイ２１からセメント系材料を板状に押し出す。支持台２２および敷板２４を、押出成形装置２０の押出ダイ２１に対して水平方向に移動させることで、帯状に連続する厚板状の押出成形体１０を得る。押出成形体１０は所定の長さ毎に裁断される。得られた押出成形体１０の表面は平坦である。押出成形体１０は、いまだ柔軟で可塑状態であり、表面は粘着性を示す。例えば、長さ３７０ｃｍ、幅９０ｃｍ、厚み３０ｍｍの押出成形体１０が得られる。
【００２６】
押出成形体１０の表面に、散布ノズル２６から、無機粉粒１６として珪砂を散布する。押出成形体１０の表面全体を均等に覆う無機粉粒１６の薄層が形成される。例えば、無機粉粒１６として、平均粒径約７４０μｍの４号珪砂（東北珪砂社製）を、５０ｇ／ｍ２の割合で散布する。
無機粉粒１６が散布された押出成形体１０は、敷板２４に載せた状態で、次の工程に送られる。
〔プレス成形〕
図２に示すように、プレス成形型３０の下方に配置された鋼材などからなる剛体状の支持盤３２の上に、敷板２４に載せた押出成形体１０を配置する。
【００２７】
＜プレス成形装置＞
プレス成形型３０は、エポキシ樹脂からなり、下面に所定の凹凸形状を有する樹脂型３４を備えている。樹脂型３４の上方背面には、密閉空間状の空気導入室３７を備えている。空気導入室３７には、圧力空気配管３６が接続されていて、圧力空気が導入される。空気導入室３７から樹脂型３４を貫通して、樹脂型３４の下面に開口する噴出口３５を有する。噴出口３５は、樹脂型３４の下面全体に多数が間隔をあけて配列されている。例えば、口径０．５ｍｍの噴出口３５を、ピッチ間隔５ｃｍで配置する。
＜型閉め段階＞
図３に示すように、図示を省略したプレス装置を作動させて、プレス成形型３０を下降させる。押出成形体１０に樹脂型３４が当接する。樹脂型３４は、押出成形体１０の表面に存在する無機粉粒１６を介して押出成形体１０と接触することになる。
【００２８】
プレス成形型３０にプレス圧力を加えることで、押出成形体１０は、樹脂型３４の下面凹凸形状にしたがって成形される。樹脂型３４の先端が、敷板２４あるいは支持盤３２に当接する程度まで下降すれば、プレス成形型３０の型閉め動作は終了する。例えば、プレス圧力を０．７ＭＰａに設定する。
なお、プレス成形によって、無機粉粒１６は、個々の粒子の一部または全体が、押出成形体１０の中に押し込まれる。成形された押出成形体１０の表面が、押出成形体１０に埋め込まれた無機粉粒１６が並んで露出した状態になる。
押出成形体１０の表面自体は、柔軟で粘着性もあるので、樹脂型３４から強い圧力が加わると、樹脂型３４に強く粘着したり、樹脂型３４の噴出口３５に押出成形体１０が詰まったりすることがある。しかし、無機粉粒１６は硬質で粘着性もないので、押出成形体１０の表面に無機粉粒１６の層が存在すると、樹脂型３４に押出成形体１０が粘着することを防止する。特に、押出成形体１０が噴出口３５に詰まることが防止される。なお、無機粉粒１６の一部が、噴出口３５に入り込んだとしても、噴出口３５の内面に強く粘着して詰まってしまうことはない。
【００２９】
＜型開き段階＞
図４に示すように、プレス成形型３０を上昇させる。支持盤３２の上には、表面に凹凸形状が成形されたセメント系成形体Ｍが得られる。
このプレス成形型３０の上昇開始時点あるいは少し前の時点で、圧力空気配管３６から空気導入室３７に圧力空気を供給する。圧力空気は、空気導入室３７から噴出口３５を経て押出成形体１０の表面に向かって吹き付けられる。圧力空気が、押出成形体１０と樹脂型３４との間に浸入することで、押出成形体１０が樹脂型３４から型離れし易くなる。
但し、押出成形体１０が樹脂型３４と強く粘着していたり、押出成形体１０の一部が噴出口３５の内部まで入り込んで粘着していたりすると、圧力空気を吹き付けても、押出成形体１０から樹脂型３４が剥がれ難くなる。場合によっては、押出成形体１０の一部が樹脂型３４に付着したままで本体部分から剥がれたりする。押出成形体１０の一部が噴出口３５に詰まったままで樹脂型３４に残ってしまったりすることもある。噴出口３５が詰まったままであれば、その噴出口３５からは圧力空気が噴出しないので、その周辺における押出成形体１０と樹脂型３４との分離がうまくいかなくなる。
【００３０】
しかし、押出成形体１０の表面に、無機粉粒１６の層が存在しているので、押出成形体１０が樹脂型３４に粘着することなく、容易に離れることになる。無機粉粒１６の一部が、樹脂型３４の噴出口３５に入り込んでいても、圧力空気の噴出によって吐き出される。噴出口３５に、押出成形体１０の一部が詰まったままになることも起き難い。
〔セメント系硬化材〕
得られたセメント系成形体Ｍは、養生硬化工程に送られる。養生硬化を終えて得られたセメント系硬化材Ｐを、図５に示す。
セメント系硬化材Ｐは、建築物の外装壁面を構築するのに利用される。表面には、小さな矩形状の凸部１４が前後左右に並び、各凸部１４の間を凹溝１２が縦横に格子状に配置されている。外観意匠性の高い外壁を構成することができる。
【００３１】
なお、押出成形体１０の表面に散布された無機粉粒１６は、プレス成形によって、押出成形体１０の内部に埋め込まれ、その状態で養生硬化されている。したがって、無機粉粒１６は、セメント系硬化材Ｐに完全に一体化された状態である。セメント系硬化材Ｐの表面を擦ったりしても、無機粉粒１６が脱落することはない。無機粉粒１６が珪砂であれば、セメント系硬化材Ｐそのものの表面質感を大きく変えることもない。また、無機粉粒１６の粒状感が、自然な岩の表面質感に似た外観意匠性を与える効果もある。
【産業上の利用可能性】
【００３２】
本発明にかかるセメント系成形体の製造方法は、例えば、住宅などの外壁を仕上げるためのセメント系硬化材からなる外装材の製造に利用できる。表面に凹凸形状を備えた外観意匠性の高いセメント系硬化材となるセメント系成形体として、品質性能に優れたものを生産性良く製造することができる。
【図面の簡単な説明】
【００３３】
【図１】本発明の実施形態を表すセメント系成形体の製造工程のうち、押出成形を示す概略断面図。
【図２】プレス成形の開始前を示す概略断面図。
【図３】プレス成形の型閉め状態を示す概略断面図。
【図４】プレス成形の型開き状態を示す概略断面図。
【図５】得られたセメント系硬化材の斜視断面図。
【符号の説明】
【００３４】
１０    押出成形体
１６    無機粉粒
２０    押出成形装置
２４    敷板
３０    プレス成形型
３４    樹脂型
３５    噴出口
３６    圧力空気配管
３７    空気導入室
Ｍ      セメント系成形体
Ｐ      セメント系硬化材
【図１】
2006305776.tif 000003
【図２】
2006305776.tif 000004
【図３】
2006305776.tif 000005
【図４】
2006305776.tif 000006
【図５】
2006305776.tif 000007